(57)【要約】【課題】デジタルスチルカメラで撮影した画像等を簡単に大量に保存し、さらに、保存している画像を例えばテレビジョンモニタ等の通常のモニタにより参照する。【解決手段】電子式アルバム装置１は、メモリカード４に記録されているデータを読み出すメモリカードドライブと、ハードディスクドライブと、静止画像データを映像信号に変換して映像表示装置に出力する映像出力部と、制御部とを備えている。電子式アルバム装置１は、デジタルスチルカメラにより撮影された静止画像データをメモリカード４から読み出して内部のハードディスクに転送する転送制御、並びに、ハードディスクに格納されている静止画像データを映像信号に変換してテレビジョンモニタに表示する表示制御を行う。【選択図】  図１
2004247795.tif 000002
【特許請求の範囲】
【請求項１】
データを記憶するカード状のメモリ装置であるメモリカードが着脱されるスロットを有し、当該スロットに装着されたメモリカードに記録されているデータを読み出すメモリカードドライブと、
ハードディスクを有し、当該ハードディスクに対して磁気的にデータを格納するハードディスクドライブと、
静止画像データを映像信号に変換して映像表示装置に出力する映像出力部と、
上記メモリカードドライブのスロットに対するメモリカードの装着に応じて当該メモリカードに記録されている静止画像データを読み出して上記ハードディスクに転送する転送制御、並びに、上記ハードディスクに格納されている静止画像データのファイル情報を上記映像表示装置に出力し、出力したファイル情報に基づく操作入力に応じて上記ハードディスク内の静止画像データを選択し、選択した静止画像データを上記映像表示装置に出力する出力制御を行う制御部と
を備えるデータ保存装置。
【請求項２】
上記制御部は、上記メモリカードから上記ハードディスクに転送した静止画像データを、上記メモリカードから消去すること
を特徴とする請求項１記載のデータ保存装置。
【請求項３】
上記ハードディスク内のデータの格納量を示す表示部を備えること
を特徴とする請求項１記載のデータ保存装置。
【請求項４】
上記表示部は、上記ハードディスクの容量に対するデータ格納量の割合を示す表示を行うこと
を特徴とする請求項１記載のデータ保存装置。
【請求項５】
上記制御部は、上記メモリカードから上記ハードディスクに静止画像データを転送する際に、互いに関連する静止画像データ群毎のフォルダをハードディスク内に生成し、生成したフォルダ内に上記互いに関連する静止画像データ群を格納すること
を特徴とする請求項１記載のデータ保存装置。
【請求項６】
上記制御部は、ハードディスク内にフォルダを生成する際に、上記互いに関連する静止画像データ群毎のタイトルの入力要求を行うこと
を特徴とする請求項５記載のデータ保存装置。
【請求項７】
上記制御部は、入力されたタイトルが記されたフォルダを作成すること
を特徴とする請求項６記載のデータ保存装置。
【請求項８】
上記制御部は、入力されたタイトルとフォルダとの関連を示す関連情報を作成して上記ハードディスクに記録すること
を特徴とする請求項６記載のデータ保存装置。
【請求項９】
上記メモリカードには、電子式静止画像撮像装置により撮像された静止画像データが格納されており、
上記制御部は、上記メモリカードから上記ハードディスクに静止画像データを転送する際に、転送する静止画像データの撮影日情報もハードディスクに転送し、上記映像表示装置に対して表示する管理情報として、カレンダーとともに当該カレンダーの撮影日に対応する位置に上記ハードディスクに保存されている静止画像データを指し示す指示情報を表示すること
を特徴とする請求項１記載のデータ保存装置。
【請求項１０】
上記制御部は、ハードディスクに格納されている静止画像データを、少なくとも撮影日単位でタイトルを付けて分類して管理し、
上記映像表示装置に対して表示する管理情報として、カレンダーとともに当該カレンダーの撮影日に対応する位置に上記タイトルを示す情報を表示すること
を特徴とする請求項９記載のデータ保存装置。
【発明の詳細な説明】
【０００１】
【発明の属する技術分野】
本発明は、電子式の静止画像撮像装置等により撮影された静止画像データを保存するデータ保存装置に関する。
【０００２】
【従来の技術】
電子式の静止画像撮像装置（以下、デジタルスチルカメラと呼ぶ。）の記録メディアには、リムーバブルなカード型の小型ＩＣメモリ装置（以下、メモリカードと呼ぶ。）が用いられることが多い（例えば特許文献１参照。）。メモリカードは、他の記録メディアに比べて非常に小型であるにも関わらず比較的に大きな容量を有しており、さらに、パーソナルコンピュータや他の機器の記録メディアとして共用することもでき、非常に使い勝手がよい。
【０００３】
また、デジタルスチルカメラにより撮影した画像は、メモリカードからパーソナルコンピュータのハードディスク内に転送して、パーソナルコンピュータ上で画像の鑑賞や管理等をするのが一般的である。
【０００４】
【特許文献１】
特開平１０年第３４０５７５号公報
【０００５】
【発明が解決しようとする課題】
ところで、デジタルスチルカメラにより撮影した画像をパーソナルコンピュータに転送して管理するのは、はなはだ面倒である。また、パーソナルコンピュータを保有していない（又は使うことができない。）ユーザもおり、そのようなユーザにとっては大量の撮影画像を鑑賞したり管理したりすることは非常に困難であり、それを理由にデジタルスチルカメラの使用をためらうユーザも多いと思われる。
【０００６】
本発明は、このような実状を鑑みて提案されたものであり、例えばデジタルスチルカメラで撮影した画像等を簡単に大量に保存でき、さらに、保存している画像を例えばテレビジョンモニタ等の通常のモニタにより簡単に参照することができるデータ保存装置を提供することを目的とする。
【０００７】
【課題を解決するための手段】
本発明にかかるデータ保存装置は、データを記憶するカード状のメモリ装置であるメモリカードが着脱されるスロットを有し、当該スロットに装着されたメモリカードに記録されているデータを読み出すメモリカードドライブと、ハードディスクを有し、当該ハードディスクに対して磁気的にデータを格納するハードディスクドライブと、静止画像データを映像信号に変換して映像表示装置に出力する映像出力部と、上記メモリカードドライブのスロットに対するメモリカードの装着に応じて当該メモリカードに記録されている静止画像データを読み出して上記ハードディスクに転送する転送制御、並びに、上記ハードディスクに格納されている静止画像データのファイル情報を上記映像表示装置に出力し、出力したファイル情報に基づく操作入力に応じて上記ハードディスク内の静止画像データを選択し、選択した静止画像データを上記映像表示装置に出力する出力制御を行う制御部とを備える。
【０００８】
本発明にかかるデータ保存装置では、メモリカードに格納されている静止画像データをハードディスクに転送する転送処理と、ハードディスク内に格納されている静止画像データを映像信号に変換してテレビジョンモニタ等に表示させる出力制御を行う。
【０００９】
【発明の実施の形態】
以下、本発明の実施の形態として、本発明を適用した電子式アルバム装置について図面を参照しながら詳細に説明する。
【００１０】
本発明の実施の形態の電子式アルバム装置１は、図１に示すように、デジタルスチルカメラ２により撮影された静止画像データが格納されたメモリカード４が挿入され、そのメモリカード４に格納されている静止画像データを内部のハードディスクドライブに転送する装置である。また、本発明の実施の形態の電子式アルバム装置１は、内部のハードディスクに保存されている静止画像データをビデオ信号として出力し、テレビジョンモニタ３に表示させる装置である。
【００１１】
図２に、本発明の実施の形態の電子式アルバム装置１のブロック構成図を示す。
【００１２】
電子式アルバム装置１は、図２に示すように、メモリカード４に対してデータの記録再生を行うメモリカードドライブ１１と、内部のハードディスク１２ａに対してデータの記録再生を行うハードディスクドライブ（ＨＤＤ）１２と、静止画像データを映像信号に変換するデコーダ１３と、操作入力部１４と、制御部１５とを備えている。また、電子式アルバム装置１は、外部のパーソナルコンピュータとＨＤＤ１２との間のインタフェースであるＵＳＢインタフェース回路１６と、残量表示部１７と備えている。
【００１３】
メモリカードドライブ１１は、メモリカード４が着脱されるスロット１１ａを有している。メモリカードドライブ１１は、このスロット１１ａにメモリカード４が装着されているときに、メモリカード４に対するデータの記録再生を行う。
【００１４】
ＨＤＤ１２は、内部に磁気的にデータが記録されるハードディスク１２ａを有し、このハードディスク１２ａに対してデータの記録再生を行う。
【００１５】
デコーダ１３は、ＨＤＤ１２に保存されている静止画像データを読み出して、例えばテレビジョン信号等の映像信号に変換して出力する。デコーダ１３から出力される映像信号は、映像出力端子１８から外部に出力される。映像出力端子１８は、図１に示すように、テレビジョンモニタ３の映像入力端子３ａに、ＡＶケーブル５を介して接続される。従って、デコーダ１３から出力された映像信号は、テレビジョンモニタ３上に表示される。
【００１６】
操作入力部１４は、ユーザが操作入力を行う遠隔操作装置である。操作入力部１４は、例えば赤外線インタフェース１４ａを用いた赤外線通信により、ユーザにより入力された情報を電子式アルバム装置１の本体に対して送信する。
【００１７】
制御部１５は、メモリカードドライブ１１、ＨＤＤ１２及びデコーダ１３の相互のデータ転送処理を制御する。また、制御部１５は、ＨＤＤ１２に保存されている静止画像データのファイル管理を行う。また、制御部１５は、操作入力部１４からの操作入力情報に基づき各種の動作制御を行う。
【００１８】
ＵＳＢインタフェース１６は、電子式アルバム装置１とパーソナルコンピュータとの間のインタフェース回路である。電子アルバム装置１は、ＵＳＢ端子１９を介してＵＳＢ方式で接続可能とされており、ＵＳＢインタフェース１６を介してホストコンピュータによりＨＤＤ１２にデータの書き込み及び読み出しが可能となっている。例えば、電子式アルバム装置１では、何らかの外部設定を行うことにより、ＵＳＢインタフェース１６を介してＨＤＤ１２をパーソナルコンピュータと接続するモードとなり、当該ＨＤＤ１２をパーソナルコンピュータの外部記憶装置として動作させることができる。
【００１９】
残量表示部１７は、ＨＤＤ１２の空き容量の割合を例えばゲージにより視覚的に表す。残量表示部１７の表示制御は、制御部１５により行われる。制御部１５は、ＨＤＤ１２の記録済みデータ量を適宜検出し、そのデータ量に応じて残量表示部１７の表示制御を行う。
【００２０】
つぎに、電子式アルバム装置１の動作について説明をする。
【００２１】
まず、メモリカード４がスロット４に挿入された後、ユーザにより操作入力部１４を用いて転送制御操作がされると、制御部１５は、メモリカード４内に格納されている一連の撮像データ群（デジタルスチルカメラ２により撮像された１枚以上の静止画像データ）を読み出して、読み出した撮像データ群をＨＤＤ１２に格納する。
【００２２】
この際、制御部１５は、メモリカード４に格納されている撮像データの撮影日を参照し、同一の撮影日の一連の撮像データ毎に、ユーザに対してタイトルの入力要求を行う。タイトルの入力要求は、例えば、タイトル入力用の画面をテレビジョンモニタ３に表示することにより行う。ユーザは、タイトル入力用の画面の要求に従い、操作入力部１４を用いてタイトルを入力する。タイトルの入力方法は、例えば、操作入力部１４の入力ボタンを用いて直接テキストを入力してもよいし、予め適当なタイトルを準備しておき（例えば、“運動会”“誕生日”“旅行”等々の一般的なイベント名等を準備しておき）、そのなかからユーザに任意のタイトルを選択させてもよい。制御部１５は、タイトルが入力されると、そのタイトル及び撮影日が名称として記述されたフォルダ（ディレクトリ）を生成して、そのフォルダ内にメモリカード４内の一群の静止画像データを格納する。このため、ＨＤＤ１２内には、少なくとも撮影日及びイベント毎にフォルダが生成され、そのフォルダ内に複数の撮像データが格納されることとなる。
【００２３】
また、制御部１５は、メモリカード４からＨＤＤ１２へ転送した撮像データは、転送後にメモリカード４内から消去するようにしてもよい。また、タイトル及び撮影日の情報は、フォルダの名称に示さなくても良く、別途管理用のファイルを生成し、その管理用のファイルに、フォルダ名と、タイトル及び撮影日の情報との対応関係を示しておいてもよい。
【００２４】
続いて、ＨＤＤ１２に格納されている撮影データをテレビジョンモニタ３に表示する場合には、ユーザは、まず、ＨＤＤ１２内に格納されている複数の撮像データのうち、所望の撮像データを選択しなければならない。そのため、まず、制御部１５は、画像選択用の画面をテレビジョンモニタ３上に表示する。ユーザは、この画像選択用画面に基づき、操作入力部１４を使用して、所望の撮像画像を選択する。制御部１５は、ユーザにより選択された撮像データをＨＤＤ１２から読み出して、デコーダ１３に供給する。デコーダ１３は、供給された撮像データをデコードし、映像信号に変換して映像出力端子１８から出力する。
【００２５】
ここで、画像選択用の画面は、図３に示すように、カレンダー２０を表示し、そのカレンダー２０の対応する日付に、ＨＤＤ１２内に生成されているフォルダを示すアイコン（例えば、アイコン２１〜２４）を表示する。ユーザは、カレンダー２０上の“月”移動用のボタン２５，２６を操作してカレンダー２０の表示月の移動を行うとともに、日付選択用カーソル２７を移動させることによりカレンダー２０上の任意の日付を選択する。制御部１５は、ユーザにより日付が選択されると、選択した日付が示されたフォルダを検索し、そのフォルダ内に格納されている撮像画像をＨＤＤ１２から読み出して、テレビジョンモニタ３に表示させる。
【００２６】
また、電子式アルバム装置１では、図４に示すように、例えば液晶モニタ等を備えた小型の表示装置３０を接続し、その表示装置３０にＨＤＤ１２内に格納されている任意の静止画像データとカレンダー２０とを合成して表示することによって、例えば、卓上のカレンダーとして用いてもよい。さらに、図５に示すように、この小型の表示装置３０に対して任意の静止画像データと時刻とを合成して表示するようにして、例えば、卓上の時計として用いるようにしてもよい。
【００２７】
以上のように本発明の実施の形態の電子式アルバム装置１では、メモリカード４に保存されている例えばデジタルスチルカメラ２で撮影した画像等を簡単に保存でき、さらに、保存している画像を例えばテレビジョンモニタ３等の通常のモニタにより簡単に参照することができる。従って、例えば、パーソナルコンピュータ等により撮像データを管理する必要がなくなり、非常に便利になる。
【００２８】
また、図１に示した電子式アルバム装置１は、筐体の形状をボックス状としたが、どのような形状にしてもよい。例えば、図６に示すような形状としてもよい。図６に示す電子式アルバム装置１の筐体は、略直方体を呈しており、通常状態で縦置きされて使用される。図６に示す電子式アルバム装置１は、筐体の底面部４１が上面部４２よりも幅狭とされ、さらに、その上面部４２は、中央方向に向かい傾斜が形成されている。また、このような形状の電子式アルバム装置１は、図７に示すように、残量表示部１７が筐体の側面部の全面に形成されており、ＨＤＤ１２の記憶済み容量が多くなればなるほど、下側から上側に向かい発光領域４３が増加していく。そして、ＨＤＤ１２の容量が満杯となると、その発光色を例えば青から赤に変化させる。このように発光させることによって、撮影した写真による思い出の数を光って演出することができる。
【００２９】
【発明の効果】
本発明にかかるデータ保存装置では、メモリカードに格納されている静止画像データをハードディスクに転送する転送処理と、ハードディスク内に格納されている静止画像データを映像信号に変換してテレビジョンモニタ等に表示させる出力制御を行う。
【００３０】
このことにより本発明にかかるデータ保存装置では、電子式静止画像撮像装置で撮影した静止画像等を簡単に大量に保存することができ、さらに、保存している静止画像を例えばテレビジョンモニタ等の通常のモニタにより簡単に参照することができる。
【図面の簡単な説明】
【図１】本発明の実施の形態の電子式アルバム装置の適用例である。
【図２】本発明の実施の形態の電子式アルバム装置のブロック構成図である。
【図３】上記電子式アルバム装置の内部データの管理用の画面を示す図である。
【図４】上記電子式アルバム装置に格納されている静止画像データをカレンダーとともに小型表示装置に表示した例を示す図である。
【図５】上記電子式アルバム装置に格納されている静止画像データをカレンダーとともに小型表示装置に表示した例を示す図である。
【図６】上記電子式アルバム装置の筐体の変形例を示した斜視図である。
【図７】図６に示した電子式アルバム装置の表示例を示した図である。
【符号の説明】
１  電子式アルバム装置、２  デジタルスチルカメラ、３  テレビジョンモニタ、４  メモリカード、１１  メモリカードドライブ、１２  ハードディスクドライブ、１２ａ  ハードディスク、１３  デコーダ、１４  操作入力部、１５  制御部、１６  ＵＳＢインタフェース、１７  残量表示部
【図１】
2004247795.tif 000003
【図２】
2004247795.tif 000004
【図３】
2004247795.tif 000005
【図４】
2004247795.tif 000006
【図５】
2004247795.tif 000007
【図６】
2004247795.tif 000008
【図７】
2004247795.tif 000009